(57)【特許請求の範囲】
【請求項１】
配信サーバから配信者クライアントに対して広告の投稿を要求する第１のステップと、
前記要求に応じて前記配信者クライアントから投稿された広告を広告主クライアントに提供する第２のステップと、
前記広告主クライアントにおいて、前記提供された広告のうち採用された広告を受け付けて前記広告主クライアントから前記配信サーバに通知する第３のステップと、
前記配信サーバにおいて、前記配信者クライアントから動画を受け付ける第４のステップと、
前記配信サーバにおいて、前記配信者クライアントから受け付けた動画を配信すると共に、前記動画を配信する際に所定のタイミングで前記採用された広告を提供する第５のステップと、
を実行することを特徴とする広告配信システム。
【請求項２】
請求項１に記載の広告配信システムであって、
前記配信者クライアントは、複数であることを特徴とする広告配信システム。
【請求項３】
請求項１又は２に記載の広告配信システムであって、
前記第５のステップでは、前記動画の配信前、配信中及び配信終了前のいずれかのタイミングで前記採用された広告を提供することを特徴とする広告配信システム。
【請求項４】
請求項１又は２に記載の広告配信システムであって、
前記第５のステップでは、前記配信者クライアントにおいて広告提供の操作を受けて、前記配信サーバは、前記配信者クライアントから当該操作があったこと示す情報を受けつけたタイミングで前記採用された広告を提供することを特徴とする広告配信システム。
【請求項５】
請求項１又は２に記載の広告配信システムであって、
前記第５のステップでは、前記配信サーバは、前記動画の閲覧者からの広告の提示の要求を受け付けて、当該要求に応じて前記採用された広告を提供することを特徴とする広告配信システム。
【請求項６】
請求項１又は２に記載の広告配信システムであって、
前記第５のステップでは、前記動画の配信終了前に前記採用された広告を提供し、当該広告は閲覧者に対して特定のウェブサイトへアクセスを求めるものであることを特徴とする広告配信システム。
【請求項７】
請求項１〜５のいずれか１項に記載の広告配信システムであって、
前記第５のステップにおいて提供された広告を閲覧した閲覧者の数に応じて当該広告を投稿した者に対して広告料を支払う第６のステップを備えることを特徴とする広告配信システム。
【発明の詳細な説明】
【技術分野】
【０００１】
本発明は、広告配信システムに関する。
【背景技術】
【０００２】
ソーシャル・ネットワーク・サービス等に広告を出したい企業と、広告の製作を請け負いたいクリエイタとをマッチングさせ、オンラインでバナー画像等の広告宣材の発注・納品が可能なプラットフォームを提供する技術が開示されている（非特許文献１）。
【先行技術文献】
【非特許文献】
【０００３】
【非特許文献１】http://www.excite.co.jp/News/column_g/20141201/Cobs_086615.html
【発明の概要】
【発明が解決しようとする課題】
【０００４】
従来の広告は、不特定者に配信されるものであり、広告宣材を提供するクリエイタと広告を配信する配信者との間に関係がなく、広告を閲覧する閲覧者にとって魅力的な広告宣材を適切に配信することができておらず、広告配信の効果が不確かであった。
【課題を解決するための手段】
【０００５】
本発明の１つの態様は、配信サーバから配信者クライアントに対して広告の投稿を要求する第１のステップと、前記要求に応じて前記配信者クライアントから投稿された広告を広告主クライアントに提供する第２のステップと、前記広告主クライアントにおいて、前記提供された広告のうち採用された広告を受け付けて前記広告主クライアントから前記配信サーバに通知する第３のステップと、前記配信サーバにおいて、前記配信者クライアントから動画を受け付ける第４のステップと、前記配信サーバにおいて、前記配信者クライアントから受け付けた動画を配信すると共に、前記動画を配信する際に所定のタイミングで前記採用された広告を提供する第５のステップと、を実行することを特徴とする広告配信システムである。
【０００６】
ここで、前記配信者クライアントは、複数であることが好適である。
【０００７】
また、前記第５のステップでは、前記動画の配信前、配信中及び配信終了前のいずれかのタイミングで前記採用された広告を提供することが好適である。
【０００８】
また、前記第５のステップでは、前記配信者クライアントにおいて広告提供の操作を受けて、前記配信サーバは、前記配信者クライアントから当該操作があったこと示す情報を受けつけたタイミングで前記採用された広告を提供することが好適である。
【０００９】
また、前記第５のステップでは、前記配信サーバは、前記動画の閲覧者からの広告の提示の要求を受け付けて、当該要求に応じて前記採用された広告を提供することが好適である。
【００１０】
また、前記第５のステップでは、前記動画の配信終了前に前記採用された広告を提供し、当該広告は閲覧者に対して特定のウェブサイトへアクセスを求めるものであることが好適である。
【００１１】
また、前記第５のステップにおいて提供された広告を閲覧した閲覧者の数に応じて当該広告を投稿した者に対して広告料を支払う第６のステップを備えることが好適である。
【発明の効果】
【００１２】
本発明によれば、広告を閲覧する閲覧者にとって魅力的な広告宣材を適切に配信することができる。
【図面の簡単な説明】
【００１３】
【図１】本発明の実施の形態における広告配信システムの構成を示す図である。
【図２】本発明の実施の形態におけるサーバの構成を示す図である。
【図３】本発明の実施の形態における広告主クライアントの構成を示す図である。
【図４】本発明の実施の形態における配信者クライアントの構成を示す図である。
【図５】本発明の実施の形態における閲覧者クライアントの構成を示す図である。
【図６】本発明の実施の形態における広告配信処理を示すフローチャートである。
【図７】本発明の実施の形態における広告案件データベースの登録例を示す図である。
【図８】本発明の実施の形態における配信者データベースの登録例を示す図である。
【図９】本発明の実施の形態における広告宣材データベースの登録例を示す図である。
【図１０】本発明の実施の形態における広告動画の配信タイミングを説明する図である。
【図１１】本発明の実施の形態における動画配信サイトの表示の例を示す図である。
【発明を実施するための形態】
【００１４】
本発明の実施の形態における広告配信システム１００は、図１に示すように、サーバ（配信サーバ）１０２、広告主クライアント１０４、配信者クライアント１０６及び閲覧者クライアント１０８を含んで構成される。サーバ１０２、広告主クライアント１０４、配信者クライアント１０６及び閲覧者クライアント１０８は、インターネット等の情報通信網１１０を介して情報交換可能に接続される。
【００１５】
本実施の形態では、広告主クライアント１０４からサーバ１０２に対して広告の依頼が行われ、依頼に応じてサーバ１０２から配信者クライアント１０６に対して広告の募集がなされ、配信者クライアント１０６から提供された広告宣材のうち広告主クライアント１０４において認証された広告宣材を閲覧者クライアント１０８へ配信することによって広告の提供が行われる。このとき、配信者クライアント１０６から広告以外の動画を提供する動画配信サイトを用いて広告の提供が行われる。すなわち、広告宣材を応募した配信者クライアント１０６と動画及び広告を提供する配信者クライアント１０６とが一致する。なお、図１では、広告主クライアント１０４、配信者クライアント１０６及び閲覧者クライアント１０８をそれぞれ１つずつ記載したが、それぞれ複数であってもよい。
【００１６】
また、本実施の形態では、広告は動画によって提供されるものとし、広告宣材は広告動画として説明する。ただし、本発明の適用範囲は、広告動画に限定されるものでなく、静止画、音声、文字等の広告宣材を対象としてもよい。
【００１７】
サーバ１０２は、図２に示すように、処理部１０、記憶部１２、入力部１４、出力部１６及び通信部１８を含んで構成される。サーバ１０２は、コンピュータの基本的な要素を備えている。処理部１０は、ＣＰＵ等の演算処理を行う手段を含む。処理部１０は、記憶部１２に記憶されているソフトウェアを実行することによって、サーバ１０２における動画配信サイトの機能を実現する。記憶部１２は、半導体メモリやハードディスク等の記憶手段を含む。記憶部１２は、処理部１０とアクセス可能に接続され、ソフトウェア、その処理に必要なデータ及びデータベース等の情報を記憶する。入力部１４は、サーバ１０２に情報を入力する手段を含む。入力部１４は、例えば、サーバ管理者からの入力を受けるキーボードやマウス等を備える。出力部１６は、サーバ管理者から入力情報を受け付けるためのユーザインターフェース画面（ＵＩ）等やサーバ１０２での処理結果を出力する手段を含む。出力部１６は、例えば、サーバ管理者に対して画像を呈示するディスプレイを備える。通信部１８は、情報通信網１１０を介して、他の情報通信機器と情報をやり取りするためのインターフェースを含んで構成される。通信部１８による通信は有線及び無線を問わない。
【００１８】
広告主クライアント１０４は、図３に示すように、処理部２０、記憶部２２、入力部２４、出力部２６及び通信部２８を含んで構成される。広告主クライアント１０４は、コンピュータの基本的な要素を備えている。処理部２０は、ＣＰＵ等の演算処理を行う手段を含む。処理部２０は、記憶部２２に記憶されているソフトウェアを実行することによって、広告主クライアント１０４における広告依頼、広告選定等の機能を実現する。記憶部２２は、半導体メモリやハードディスク等の記憶手段を含む。記憶部２２は、処理部２０とアクセス可能に接続され、ソフトウェア、その処理に必要なデータ及びデータベース等の情報を記憶する。入力部２４は、広告主クライアント１０４に情報を入力する手段を含む。入力部２４は、例えば、広告主からの入力を受けるキーボードやマウス等を備える。出力部２６は、広告主から入力情報を受け付けるためのユーザインターフェース画面（ＵＩ）等や広告主クライアント１０４での処理結果を出力する手段を含む。出力部２６は、例えば、広告主に対して動画等の情報を呈示するディスプレイを備える。通信部２８は、情報通信網１１０を介して、他の情報通信機器と情報をやり取りするためのインターフェースを含んで構成される。通信部２８による通信は有線及び無線を問わない。
【００１９】
配信者クライアント１０６は、図４に示すように、処理部３０、記憶部３２、入力部３４、出力部３６及び通信部３８を含んで構成される。配信者クライアント１０６は、コンピュータの基本的な要素を備えている。処理部３０は、ＣＰＵ等の演算処理を行う手段を含む。処理部３０は、記憶部３２に記憶されているソフトウェアを実行することによって、配信者クライアント１０６における広告の募集の受付、広告動画の投稿、動画配信等の機能を実現する。記憶部３２は、半導体メモリやハードディスク等の記憶手段を含む。記憶部３２は、処理部３０とアクセス可能に接続され、ソフトウェア、その処理に必要なデータ及びデータベース等の情報を記憶する。入力部３４は、配信者クライアント１０６に情報を入力する手段を含む。入力部３４は、例えば、配信者からの入力を受けるキーボードやマウス等を備える。出力部３６は、配信者から入力情報を受け付けるためのユーザインターフェース画面（ＵＩ）等や配信者クライアント１０６での処理結果を出力する手段を含む。出力部３６は、例えば、配信者に対して動画等の情報を呈示するディスプレイを備える。通信部３８は、情報通信網１１０を介して、他の情報通信機器と情報をやり取りするためのインターフェースを含んで構成される。通信部３８による通信は有線及び無線を問わない。
【００２０】
閲覧者クライアント１０８は、図５に示すように、処理部４０、記憶部４２、入力部４４、出力部４６及び通信部４８を含んで構成される。閲覧者クライアント１０８は、コンピュータの基本的な要素を備えている。処理部４０は、ＣＰＵ等の演算処理を行う手段を含む。処理部４０は、記憶部４２に記憶されているソフトウェアを実行することによって、閲覧者クライアント１０８における動画（広告）の閲覧、動画に対するレスポンス等の機能を実現する。記憶部４２は、半導体メモリやハードディスク等の記憶手段を含む。記憶部４２は、処理部４０とアクセス可能に接続され、ソフトウェア、その処理に必要なデータ及びデータベース等の情報を記憶する。入力部４４は、閲覧者クライアント１０８に情報を入力する手段を含む。入力部４４は、例えば、閲覧者からの入力を受けるキーボードやマウス等を備える。出力部４６は、閲覧者から入力情報を受け付けるためのユーザインターフェース画面（ＵＩ）等や閲覧者クライアント１０８での処理結果を出力する手段を含む。出力部４６は、例えば、閲覧者に対して動画等の情報を呈示するディスプレイを備える。通信部４８は、情報通信網１１０を介して、他の情報通信機器と情報をやり取りするためのインターフェースを含んで構成される。通信部４８による通信は有線及び無線を問わない。
【００２１】
以下、図６のフローチャートを参照して、本実施の形態における広告配信処理について説明する。
【００２２】
ステップＳ１０では、広告主から広告の依頼が行われる。広告主は、広告主クライアント１０４からサーバ１０２へ必要とする広告を作成するために必要な情報と共に広告出稿の依頼要求を送信する。広告主は、広告主クライアント１０４から広告依頼用のウェブサイトにアクセスすることによって、新たな広告案件を依頼するための情報を入力するためのフォームがサーバ１０２から広告主クライアント１０４へ送信される。広告主は、広告主クライアント１０４の入力部２４を用いて、新たな広告案件を依頼するための情報を入力する。これによって、広告主クライアント１０４からサーバ１０２へ新たな広告案件を依頼するための情報が送信される。サーバ１０２は、広告主クライアント１０４から送信された情報を広告案件データベースとして記憶部１２に記憶させる。
【００２３】
新たな広告案件を依頼するための情報は、図７に示すように、案件を特定するための識別情報（案件名、案件番号等の案件に固有の情報）、広告主を特定するための識別情報（クライアント名、クライアント番号等のクライアントに固有の情報）、広告の対象となる商品やサービス、広告動画の希望再生時間、希望する広告対象者の範囲（年齢層、性別等）、広告料の支払い用の銀行口座番号等の情報を含むことが好適である。
【００２４】
ステップＳ１２では、広告の募集が行われる。サーバ１０２は、広告主クライアント１０４から広告作成の依頼を受けると、配信者クライアント１０６に対して広告の募集を行う。サーバ１０２は、記憶部１２に記憶されている配信者データベースを参照し、既にサーバ１０２に登録されている配信者に対して新たな広告の依頼があったことを示す情報及び広告の作成に必要な情報を送信する。配信者データベースには、図８に示すように、配信者を識別するための識別子（配信者名、配信者番号等）、配信者の動画投稿のサイトのアカウント情報、配信者の銀行口座番号等が予め登録されている。広告の募集の対象となる配信者クライアント１０６は単数であってもよいし、複数であってもよい。
【００２５】
広告の作成に必要な情報は、ステップＳ１０において広告主から入力された情報を含んでもよい。例えば、広告の作成に必要な情報は、案件を特定するための識別情報（案件名、案件番号等の案件に固有の情報）、広告主を特定するための識別情報（クライアント名、クライアント番号等のクライアントに固有の情報）、広告の対象となる商品やサービス、広告動画の希望再生時間、希望する広告対象者の範囲（年齢層、性別等）、等の情報を含むことが好適である。配信者クライアント１０６では、広告の依頼及び広告の作成に必要な情報を受けると、それらの情報を配信者クライアント１０６のユーザである配信者に提示する。
【００２６】
また、サーバ１０２は、配信者クライアント１０６のユーザである配信者に対して、広告動画を撮影及び編集するためのツールを提供するようにしてもよい。例えば、サーバ１０２は、当該ツールの機能を有するアプリケーションを配信者クライアント１０６へ送信したり、当該ツールの機能を有するウェブサイトを配信者クライアント１０６に提供するようにしたりすればよい。また、当該ツールでは、著作権処理された音楽・画像・映像等を広告に使用するパーツとして提供するようにしてもよい。
【００２７】
ステップＳ１４では、広告動画が配信者から投稿される。配信者は、配信者クライアント１０６からサーバ１０２へ投稿しようとする広告動画及び投稿に必要な情報を送信する。サーバ１０２は、広告動画及び投稿に必要な情報を受けると、図９に示すように、固有の広告識別番号を割り振ると共に、当該広告識別番号に投稿に必要な情報及び広告動画を関連付けて記憶部１２の広告宣材データベースに登録する。なお、複数の配信者から広告動画の投稿を受け付けてもよい。
【００２８】
投稿に必要な情報は、案件を特定するための識別情報（案件名、案件番号等の案件に固有の情報）、広告主を特定するための識別情報（クライアント名、クライアント番号等のクライアントに固有の情報）、広告を配信する期間、広告動画を配信する動画配信サイトからアクセス可能とするリンク情報（ＵＲＬ、画像等）、配信者を識別するための識別子（配信者名、配信者番号等）等を含む。また、広告宣材データベースには、広告配信の効果を示す評価ポイントも登録される。評価ポイントについては後述する。
【００２９】
また、広告動画をサーバ１０２に直接送信するのではなく特定のウェブサイトやユーチューブ（登録商標）にアップロードするようにしてもよい。この場合、投稿に必要な情報には、広告動画をアップロードしたウェブサイトのＵＲＬやユーチューブ（登録商標）のＩＤ（ｙｏｕｔｕｂｅ＿ｉｄ）を付加する。広告宣材データベースには、広告動画に代えて、付加されたＵＲＬやＩＤが投稿に必要な情報に関連付けて登録される。
【００３０】
ステップＳ１６では、広告主に対して投稿された広告動画が提供される。サーバ１０２は、広告宣材データベースを参照して、ステップＳ１０において依頼を受け付けた案件を特定するための識別情報（案件名、案件番号等の案件に固有の情報）に関連付けて登録されている広告動画を当該広告動画の広告識別番号と共にステップＳ１０における広告主の広告主クライアント１０４へ送信する。なお、サーバ１０２は、ステップＳ１０において依頼を受け付けた案件に関連付けて登録されている広告動画が複数あればすべての広告動画を送信する。
【００３１】
また、広告動画のデータの代わりに広告動画をアップロードしたウェブサイト等のアクセス先の情報が登録されている場合には、そのアクセス先を示す情報を当該広告動画の広告識別番号と共にステップＳ１０における広告主の広告主クライアント１０４へ送信してもよい。
【００３２】
ステップＳ１８では、採用された広告動画の選択が行われる。広告主は、ステップＳ１６において広告主クライアント１０４に送信された広告動画を閲覧及び確認し、採用する広告動画を選択する。広告主クライアント１０４は、選択された広告動画の広告識別番号（以下、採用広告識別番号という）をサーバ１０２へ送信する。
【００３３】
例えば、広告主クライアント１０４は、ステップＳ１６において受信した広告動画のすべてをリストとして出力部２６に表示させ、入力部２４を用いて広告主よってリストから選択された広告動画を再生して出力部２６に表示させることによって広告主に内容を確認させる。広告動画の代わりに広告動画をアップロードしたウェブサイト等のアクセス先の情報である場合には、選択された広告動画がアップロードされているウェブサイト等にアクセスして広告動画を再生して出力部２６に表示させる。そして、入力部２４を用いて広告主が採用したいと考える広告動画をリストから選択させる。
【００３４】
ステップＳ２０では、採用された広告動画を投稿した配信者へ採用の通知が行われる。サーバ１０２は、記憶部１２に記憶されている広告宣材データベースを参照して、ステップＳ１８において広告主クライアント１０４から採用広告識別番号を受信し、その採用広告識別番号に関連付けて登録されている配信者を抽出する。サーバ１０２は、抽出された配信者の配信者クライアント１０６に対して、採用広告識別番号と共に当該配信者が投稿した広告動画が採用されたことを示す情報を送信する。
【００３５】
ステップＳ２２では、配信者から広告の配信の最終的な許可及び設定が行われる。ステップＳ２０において配信者クライアント１０６に送信された広告動画が採用されたことを示す情報を確認した配信者は、配信者クライアント１０６の入力部３４を用いて当該広告動画の使用を許可する。配信者クライアント１０６は、配信者からの許可の入力を受けると、配信者を識別するための識別子（配信者名、配信者番号等、以下、採用配信者識別子という）及び採用広告識別番号と共に当該広告動画の配信が許可されたことを示す情報をサーバ１０２へ送信する。
【００３６】
ステップＳ２４では、広告動画の配信が行われる。サーバ１０２は、記憶部１２に記憶されている配信者データベースを参照して、ステップＳ２２において受信された採用配信者識別子に関連付けられている配信者の動画投稿のサイトのアカウント情報を読み出す。また、サーバ１０２は、記憶部１２に記憶されている広告宣材データベースを参照して、ステップＳ２２において受信された採用広告識別番号に関連付けられている広告動画を読み出す。そして、サーバ１０２は、読み出された配信者の動画投稿のサイトのアカウント情報で特定される動画配信サイトにおいて読み出された広告動画の配信処理を行う。
【００３７】
ここで、広告動画は、配信者の動画投稿のサイトにおいて当該配信者が提供する広告以外の動画と併せて配信されることが好適である。例えば、当該配信者が動画投稿のサイトにおいて提供するリアルタイムの動画と併せて配信されることが好適である。サーバ１０２は、採用配信者識別子で特定される配信者から広告以外の動画のアップロードを受け付け、当該配信者の動画投稿のサイトにおいてアップロードされた広告以外の動画を配信する。それと共に、配信者が提供する広告以外の動画の配信前（配信の冒頭）、配信中及び配信終了後の少なくとも１つのタイミングで広告動画を配信する。
【００３８】
例えば、図１０（ａ）のタイムチャートに示すように、配信者が自身の動画投稿サイトにおいて配信する広告以外の動画の配信開始前にステップＳ２２において設定された広告動画を配信する。また、図１０（ｂ）のタイムチャートに示すように、配信者が自身の動画投稿サイトにおいて配信する広告以外の動画の配信の途中にステップＳ２２において設定された広告動画を配信する。また、図１０（ｃ）のタイムチャートに示すように、配信者が自身の動画投稿サイトにおいて配信する広告以外の動画の配信終了後にステップＳ２２において設定された広告動画を配信する。どのタイミングで広告動画を配信するかは、広告主からの指示によって設定されるものとしてもよいし、配信者が設定できるようにしてもよいし、自動で設定されるようにしてもよい。
【００３９】
なお、配信者が広告動画以外の動画を配信する時期は、ステップＳ１４において配信者が広告を配信する期間として指定した期間とされる。サーバ１０２は、記憶部１２に記憶されている広告宣材データベースを参照して、採用配信者識別子及び採用広告識別番号に関連付けられている広告を配信する期間を読み出し、その期間（広告以外の動画の配信期間）の前、途中及び後の少なくとも１つのタイミングで広告動画を配信すればよい。
【００４０】
閲覧者は、閲覧者クライアント１０８から当該動画投稿サイトにアクセスすることによって、配信者が配信する広告以外の動画及び広告動画を閲覧することができる。図１１は、動画配信サイトの表示の例を示す。
【００４１】
動画投稿サイトのページ２００の動画表示領域５０には、配信者が配信する広告以外の動画がアップロードされるが、当該動画の配信前、配信中及び配信終了後の少なくとも１つのタイミングにおいて広告動画が挿入されて表示される。
【００４２】
なお、動画投稿サイトのページ２００内に配信中の動画が広告であることを示す情報を表示させる警告領域５２を設け、広告動画が配信されている期間は「これはＣＭです」等の配信中の動画が広告であることを示す情報を表示させることが好適である。これにより、閲覧者は、動画表示領域５０に現在表示されている動画が広告であるか否かを明確かつ容易に把握することができる。
【００４３】
また、動画投稿サイトのページ２００内に次に広告が配信されるまでの時間を表示させる時間表示領域５４を設け、次に広告が配信されるまでの時間を表示させてもよい。サーバ１０２は、動画投稿サイトを閲覧中の閲覧者クライアント１０８に対して次に広告が配信される時刻を送信する。広告が配信されるまでの時刻は、広告を配信する期間（広告以外の動画の配信期間）と広告動画を配信するタイミングとの関係に基づいて算出することができる。閲覧者クライアント１０８は、サーバ１０２から次に広告が配信される時刻を受信すると、現在の時刻との差を残り時間として「ＣＭまであと＊＊秒です」等の情報を時間表示領域５４に表示させる。これにより、閲覧者は、動画表示領域５０に次に広告動画が表示されるまでの時間を容易に把握することができる。
【００４４】
また、動画投稿サイトのページ２００内に広告タイミング指定領域５６を設け、閲覧者による広告提供を希望する操作を受け付けるようにしてもよい。閲覧者クライアント１０８は、入力部４４を用いて閲覧者によって広告タイミング指定領域５６を選択（クリック）されると、広告提供のための操作を行われたことを示す情報をサーバ１０２へ送信する。サーバ１０２は、広告提供のための操作を行われたことを示す情報を受けると、当該情報の送信元の閲覧者クライアント１０８に対して広告動画を送信する。これによって、情報の送信元の閲覧者クライアント１０８に対して閲覧者が選択した任意のタイミングで広告動画が配信され表示される。
【００４５】
また、動画投稿サイトのページ２００内に、配信される広告動画に関連するサイトや動画にアクセスするためのリンク情報を表示させるリンク表示領域５８を設けてもよい。サーバ１０２は、記憶部１２に記憶されている広告宣材データベースを参照して、採用配信者識別子及び採用広告識別番号に関連付けられている動画配信サイトからアクセス可能とするリンク情報（ＵＲＬ、画像等）を読み出し、動画を閲覧中の閲覧者クライアント１０８に送信する。閲覧者クライアント１０８は、リンク情報を受けると、リンク表示領域５８にリンク情報を表示させる。これにより、閲覧者は、動画投稿サイトを閲覧中に配信された広告動画をみて広告の対象となった商品に興味が生じた際にリンク表示領域５８に表示されたリンク情報を選択することによってその商品に関するサイト（販売サイト）や画像等の情報にアクセスすることが容易となる。
【００４６】
リンク情報の表示期間は、特に限定されるものではなく、広告動画の表示と同時であってもよいし、広告動画以外の動画の配信前、配信途中、配信後及び広告動画の配信中等の任意の期間であってよい。また、リンク情報は、動画の配信開始前又は終了時に動画表示領域５０内に表示するようにしてもよい。
【００４７】
ステップＳ２６では、広告配信の効果が測定される。広告配信の効果は、広告動画へのアクセス数（トータル閲覧者数、ユニーク閲覧者数）、広告動画の閲覧回数、広告動画の閲覧時間、リンク情報へのアクセス回数及び閲覧者から評価ポイント等が挙げられる。これらの広告配信の効果は、図９に示すように、採用配信者識別子及び採用広告識別番号に関連付けて記憶部１２に記憶されている広告宣材データベースに登録される。
【００４８】
広告動画へアクセスしたトータル閲覧者数は、サーバ１０２を介してステップＳ２４で提供された動画配信サイトにアクセスした閲覧者クライアント１０８ののべ数である。サーバ１０２は、ステップＳ２４において動画配信サイトにアクセスがある毎にその回数をカウントし、記憶部１２に記憶されている広告宣材データベースに採用配信者識別子及び採用広告識別番号に関連付けて登録する。
【００４９】
ユニーク閲覧者数は、サーバ１０２を介してステップＳ２４で提供された動画配信サイトにアクセスした閲覧者クライアント１０８の数である。重複して複数回閲覧した閲覧者はカウントしない。サーバ１０２は、ステップＳ２４において動画配信サイトに新たな閲覧者がアクセスする毎にその回数をカウントし、記憶部１２に記憶されている広告宣材データベースに採用配信者識別子及び採用広告識別番号に関連付けて登録する。
【００５０】
広告動画の閲覧回数は、サーバ１０２を介してステップＳ２４で提供された動画配信サイトにおいて広告動画が配信されたのべ回数である。サーバ１０２は、ステップＳ２４において動画配信サイトにおいて広告動画が配信される毎に配信対象となる閲覧者クライアント１０８に対してレスポンス要求を行い、閲覧者クライアント１０８からサーバ１０２へレスポンスが返信されるとその回数をカウントし、記憶部１２に記憶されている広告宣材データベースに採用配信者識別子及び採用広告識別番号に関連付けて登録する。
【００５１】
広告動画の閲覧時間は、サーバ１０２を介してステップＳ２４で提供された動画配信サイトにおいて広告動画が配信されたのべ時間である。サーバ１０２は、ステップＳ２４において動画配信サイトにおいて広告動画が配信される毎にその時間を積算し、記憶部１２に記憶されている広告宣材データベースに採用配信者識別子及び採用広告識別番号に関連付けて登録する。
【００５２】
リンク情報へのアクセス回数は、ステップＳ２４で提供された動画配信サイトにおいてリンク表示領域５８が設けられている場合にそこに表示されるリンク情報へアクセスされたのべ回数である。サーバ１０２は、ステップＳ２４において動画配信サイトにおいてリンク情報へアクセスが行われる毎にその回数を積算し、記憶部１２に記憶されている広告宣材データベースに採用配信者識別子及び採用広告識別番号に関連付けて登録する。
【００５３】
閲覧者から評価ポイントは、閲覧者自体が広告動画を評価して与えたポイントである。例えば、動画投稿サイトのページ２００内に評価ポイント付与領域６０を設け、評価ポイント付与領域６０を選択（クリック）する毎に評価ポイントが付与されるようにすればよい。閲覧者クライアント１０８は、評価ポイント付与領域６０を選択（クリック）されるとサーバ１０２へ評価ポイントが付与されたことを示す情報を送信する。サーバ１０２は、評価ポイントが付与されたことを示す情報を受信すると、評価ポイントを積算し、記憶部１２に記憶されている広告宣材データベースに採用配信者識別子及び採用広告識別番号に関連付けて登録する。
【００５４】
また、評価ポイントの付与の方法は、これに限定されるものではなく、様々な方法を採用することができる。例えば、１回の操作で付与できる評価ポイントを閲覧者が指定できるようにしてもよい。また、付与した評価ポイントに応じて、評価ポイントを付与した閲覧者に課金を行うようにしてもよい。
【００５５】
なお、評価ポイントは、広告動画へのアクセス数（トータル閲覧者数、ユニーク閲覧者数）、広告動画の閲覧回数、広告動画の閲覧時間、リンク情報へのアクセス回数及び閲覧者からの評価ポイントの少なくとも１つに基づいて付与されればよい。複数のパラメータを組み合わせる場合、それぞれのパラメータに適宜重み付けをして加算する等、適宜評価方法を採用すればよい。
【００５６】
ステップＳ２８では、広告配信の効果に応じて広告料の支払いが行われる。サーバ１０２は、ステップＳ２６において測定された広告配信の効果に応じて、当該広告動画を提供した配信者に対して広告料の支払い処理を行う。サーバ１０２は、記憶部１２に記憶されている広告宣材データベースを参照して、採用配信者識別子及び採用広告識別番号に関連付けて登録されている広告配信の効果の評価ポイントを読み出す。さらに、サーバ１０２は、記憶部１２に記憶されている配信者データベースを参照して、採用配信者識別子に関連付けて登録されている配信者の銀行口座番号を読み出し、読み出された評価ポイントに応じた広告料を当該銀行口座番号で特定される銀行口座に振り込む処理を行う。
【００５７】
また、支払われた広告料を広告主から徴収する処理を行ってもよい。サーバ１０２は、記憶部１２に記憶されている広告案件データベースを参照し、採用広告識別子に関連付けられている広告主の広告料の支払い用の銀行口座番号を読み出す。そして、サーバ１０２は、評価ポイントに応じて支払われた広告料に相当する額を当該銀行口座番号で特定される銀行口座から徴収する。
【００５８】
なお、広告動画が採用された際に採用された広告動画を提供する配信者の配信へ承認が必要でない場合にはステップＳ２０及びＳ２２における処理はスキップしてもよい。
【００５９】
以上のように、本実施の形態における広告配信システム１００によれば、動画配信サイトにおいて動画を配信している配信者が提供する広告動画を当該配信者自身の動画配信サイトにおいて配信することができる。一般的に、動画を閲覧する閲覧者は、自身の好みにあった動画を提供してくれる配信者の動画配信サイトにて動画を閲覧することが多く、その動画配信サイトにおいて当該配信者が作成又は提供する広告動画もまた閲覧者の好みにあったものとなる可能性が高い。したがって、広告を閲覧する閲覧者にとって魅力的な広告宣材を適切に配信することができ、広告配信の効果が向上する。
【００６０】
また、広告動画の配信者にとっては、広告動画を配信した効果に応じて広告収入を得ることができ、自身の動画配信サイトにおけるさらなる動画及び広告動画の配信を行うインセンティブを与えることができる。
【符号の説明】
【００６１】
１０  処理部、１２  記憶部、１４  入力部、１６  出力部、１８  通信部、２０  処理部、２２  記憶部、２４  入力部、２６  出力部、２８  通信部、３０  処理部、３２  記憶部、３４  入力部、３６  出力部、３８  通信部、４０  処理部、４２  記憶部、４４  入力部、４６  出力部、４８  通信部、５０  動画表示領域、５２  警告領域、５４  時間表示領域、５６  広告タイミング指定領域、５８  リンク表示領域、６０  評価ポイント付与領域、１００  広告配信システム、１０２  サーバ、１０４  広告主クライアント、１０６  配信者クライアント、１０８  閲覧者クライアント、１１０  情報通信網、２００  ページ。
【要約】
【課題】広告を閲覧する閲覧者にとって魅力的な広告宣材を適切に配信することができる広告配信システムを提供する。
【解決手段】サーバ１０２から配信者クライアント１０６に対して広告の投稿を要求する第１のステップと、要求に応じて配信者クライアント１０６から投稿された広告を広告主クライアント１０４に提供する第２のステップと、広告主クライアント１０４において、提供された広告のうち採用された広告を受け付けて広告主クライアント１０４からサーバ１０２に通知する第３のステップと、配信者クライアント１０６において、配信者クライアント１０６から動画を受け付ける第４のステップと、サーバ１０２において、配信者クライアント１０６から受け付けた動画を配信すると共に、動画を配信する際に所定のタイミングで採用された広告を提供する第５のステップと、を実行する広告配信システム１００とする。
【選択図】図１【図１】
0005925349.tif 000002
【図２】
0005925349.tif 000003
【図３】
0005925349.tif 000004
【図４】
0005925349.tif 000005
【図５】
0005925349.tif 000006
【図６】
0005925349.tif 000007
【図７】
0005925349.tif 000008
【図８】
0005925349.tif 000009
【図９】
0005925349.tif 000010
【図１０】
0005925349.tif 000011
【図１１】
0005925349.tif 000012